(57)【要約】【課題】新しい機構による省エネ且つ低コストの電熱体を提供する。【解決手段】  酸化インジュームと酸化スズの混合基材に硫酸を加えてイオン化を強めて安定させたものに、特殊調整した炭素剤と超微細ホウ酸を加え、特殊腐植物質抽出希釈液で高分子的特性植物の焼成灰を抽出した溶解液に、ホウ酸或いは海洋性生物化石粉を加えて反応せしめた高濃度複合化合物溶液で別々に混練成型体とし電気炉で窒素ガス置換し累進高温焼成する過程で炭素剤とホウ酸が有為の働きをして空孔を生ずる  と共に連結を強化して電子のヒモ理論的運動を活発化することによる電熱体並びに電気吸熱体。及びそれ等を特徴とした加熱装置並びに吸熱装置【特許請求の範囲】
【請求項１】
酸化インジューム（Ｉｎ２Ｏ３、Ｉｎ２Ｏ）と酸化スズ（ＳｎＯ２，ＳｎＯ）の混合剤に硫酸を加えて、有意時間の養生によってイオン化傾向を進行させる。改質したものに、特殊調製した炭素剤と超微細ホウ酸を加えた混合基剤に特殊腐植物質抽出稀釈液で高分子的特性の植物の焼成灰を抽出した溶解液にホウ酸或いは海洋性生物化石粉を加えて有機化学反応せしめた高濃度複合化合物溶液を別々に加えて混練養生した後成型体とし、電気炉で窒素ガス置換して累進高温焼成することにより、酸化インジュームと酸化スズが還元融合して重複合化合組織構造体化する過程で、炭素剤とホウ酸が有為の働きをなし空孔を生ずると共にガラス結晶化して連結を強化した構造体となって、電子のヒモ理論的運動を活発化した電熱機構体となる構造であることを特徴とする。薄膜状電熱体の製造及びそれ等を特徴とする加熱装置
【請求項２】
請求項１記載の酸化インジュームと酸化スズの混合比を発熱体配合のそれを逆転比とすることによって電気吸熱体となることを特徴とする。請求項１記載の薄膜状電熱体の製造及びそれ等を特徴とする加熱装置。
【発明の詳細な説明】
【技術分野】
【０００１】  本発明は新機構の電気発熱体並に電気吸熱体の製造に関するものである。
【背景技術】
【０００２】  酸化インジュームと酸化スズをベースとした電気誘導坦体が利用されて久しく、透明発熱体として加熱酸化によって透明度を保ち各方面で重用されている。
【非特許文献１】透明導電性フィルム（ＯＴＥＣ）帝人
【０００３】  前項を改良した新機構を開発するに当って、ホウ酸溶液で加熱すると金属表層を硬化させる特性に注目した。
【非特許文献２】ホウ酸を用いた金属表面硬化のボロン処理−岩手製鉄（株）
【０００４】  有意の特性ある複数物質を、優れたイオン化促進機能力によって融合反応させるホウ酸は、本発明に利用される外にも各種の機能性物質に活用される特性を持っている。
【特許文献１】不燃液と防水、耐火接着剤を用いた不燃布の製造法並びに防水不燃素材を外皮とした発熱体−特願平１１−１８０４９０
【特許文献２】難燃性、耐熱性木材の製造法−特願２０００−６４５００
【０００５】  本発明で用いる複数物質の融合化誘導基礎資剤でその特性と製造法を知る。
【特許文献３】マリネックス−特殊腐食物質の特性を生かした環境保全型燃焼法−特願２００２−３５３０９８
【０００６】  本発明で用いる炭素剤原料のパーム椰子殻は高分子的特性を持っており焼成灰化しても貴重な成分を保持する。８００℃で焼成するに当っても黒煙をあげる様に正に高分子的特性そのもの（タイヤの如く）で、その繊維は極めて硬い。
【非特許文献３】パーム灰−パーム灰分析証明書−日本肥糧検定協会（２００２）
【０００７】  海洋性生物化石は多様なミネラル類を含有し、加熱酸化するとイオン化へ急激な反応を誘起する特性を持つに至り、他の物質との融合反応を先導する。
【非特許文献４】ミネラルはねっこ−貝化石肥料分析−東邦亜鉛（株）昭和６１年
【０００８】  酸化インジュームは酸化錫と組合せ導電性が秀れ需要が拡大の一途をたどるのと反比例して資源的に供給が限られて入手が極端に困難となり、その代替品が社会的課題となっているが、酸化インジューム生成の前段階の酸化亜鉛が注目され活用されている。
酸化インジュームは単体では導電性が極小であるが酸化錫と合体した物質は電子のバランスが崩れて導電性を帯びる性質が生じ重用されてる、酸化亜鉛は単独で導電性がある。
【特許文献４】セラミックスヒーター−特願２００２−３２０２３５
【０００９】  酸化インジュームスズ（ＩＴＯ）は双対性に秀れて活用されているので酸化亜鉛が活用されると相対的に双対性物質が存在する。その一つとして酸化アルミニウム或いは水酸化アルミニウムが近い。
酸化アルミニウム、或いは水酸化アルミニウムは金属体と異なりそれ自体は導電性は低いが酸化亜鉛と化合されると酸化錫インジュームに近い関係となる。
【特許文献５】放熱体−特願２００１−２７７４０８
【００１０】  本発明電熱体の出現によって最も効率よいバイオマスの化学反応乾留装置を具現出来る装置（遠赤外線光波、窒素ガス雰囲気そして過熱蒸気雰囲気の環境を整える）が可能となる。
【特許文献６】自然植物素材遠赤外線乾留炭化装置−２００４−９０５１６
【００１１】  本発明電熱体の出現によって低コストで機構目的を実現出来る電気炉が可能となりバイオマス等の燃焼・乾燥・改質炭化それぞれの炉の炉壁を窒素ガス置換し高温焼成して苛酷な雰囲気バランスを形成する等の機能向上を図ることが出来る。
【特許文献７】熱線放射型電気炉装置−２００４−１３７９１３
【００１２】  本発明の基となった一の要因は、複数物資のイオン化を促して多重複合反応によって新たな機能を生み出す発想があり、その一つに非セメントにより環境に有益な養分を供給する含浸機能を保持して環境機能性再生に貢献する構造物を目指している。
【特許文献８】環境機能性再生構造物の製造−特願２００４−１６３８５１
【発明の開示】
【発明が解決しようとする課題】
【００１３】  本発明は産業及び生活分野の冷暖房調整に使用される電熱需要の莫大な事に鑑み、その電力量削減を目指した新たな導電発熱坦体の開発に取組み、新たな発熱を誘起する機構を発見して主題の電気発熱体並びに電気吸熱体にたどり付いた。請求項に述べている如く従来の電気抵抗と異なる発熱並びに吸熱機構である。【００１４】  一方本発明が主体剤とした酸化インジューム錫（ＩＴＯ）の秀れた機能は、各方面の需要を生み出した事と対象的に酸化インジュームの生産量が限定される為に極端なアンバランスとなっており代替え資剤の深策が急務となっているのでその機能性を代替する物質が求められている。
【課題を解決する為の手段】
【００１５】  本発明は先願や先行技術の貴重な教示のもつ意味を、原子配列を３分割した比較検討と、別案件のイオン化傾向物質を組み合わせイオン化を進める手段を加えて水和反応構造体づくりを試行する事象の比検の中から芽生えた現場における自然現象の教示する原理を発展させたものである。
【００１６】  前項課題に対応した先願発熱体は一義的に酸化インジュームと酸化錫を選択して混合し、有意量の硫酸を加えてイオン化を促したものに、特殊調製した超微粉の炭素剤、並びに超微粒のホウ酸を有意量加えた混合基剤を、特殊腐植物質抽出稀釈水で高分子的特性植物の焼成灰を抽出した溶解液とホウ酸を混合して有機化学反応させた高濃度ホウ酸複合化合物溶液或いは海洋性生物化石を前出溶解液と混合して有機化学反応させた海洋性生物化石複合化合物溶液を、別々に加えて混練養生して一挙にイオン化を進め融合化反応を促進して成型乾燥し、電気炉で窒素ガス置換焼成する事によって、酸化インジュームと酸化錫が還元融合反応する過程で、炭素とホウ酸が有為の働きをして空孔を生じ、電子のヒモ理論的運動を活発化することを可能として抵抗を減らし運動エネルギーを増幅しながら発熱するもので、従来の単純抵抗による発熱体とは異なる。
別の表現をすれば空孔の持つ抵抗減少と運動エネルギー増幅の相乗発象作用に基く発熱と云い得るもので、大幅な省エネを可能とするものである。
酸化インジュームと錫の双対性を発明された先人に対する敬意の上に新たに自然の教示による発想を積み重ねた発明である。
【００１７】  更に発熱体における主体剤−酸化インジュームと酸化錫の配合比を逆転比に配合すると、電子運動が吸熱反応を発象する。発熱体及び吸熱体の場合の主体剤のそれぞれの配合比については実施例で示す。
【００１８】  本題の主体剤である酸化インジュームと酸化錫は需要の拡大に反比例して、資源的に供給が限定されて希少資源化している。
酸化インジュームについては酸化亜鉛が代替として利用されているが本発明では酸化インジュームと酸化錫の電子配列上の双対性の組み合わせのうえに積み重ね新機構を構築したので、酸化亜鉛で代替するに当たっては、当然前記双対性を維持することによって、新思考の新たな機能再現を目指す。
即ち酸化インジュームに近い導電性の高い品質の酸化亜鉛を選び酸化錫に近い酸化アルミニウム或いは水酸化アルミニウムを選択して双対性の組み合わせを維持した基礎の上に本願技術思考を上積みして目標事象に近づく。
本願で双対性複数主体剤にこだわるのは、強烈にイオン化を促して融合反応せしめながら主体剤に加える特殊調製した炭素や超微細ホウ酸を加えた混合基剤が、混然一体となり窒素ガス雰囲気の電気炉の中で高温焼成され重複融合化反応する過程で空孔や部分的絶縁組織を交雑した新しい構造体となる重複合化合組織構造体を期待するからである。
【発明の効果】
【００１９】  前項手段は再現も容易で且つそれぞれ求める事象に至る道筋も明らかになったことは、その需要分野を低コストで大きく拡大したことになる。電力消費量も４分の１となり得る可能性が大きく生活、住環境における多様な活用分野を拡げ得ることは云うに及ばず、特殊な自然界と異なる特定装置のそれぞれの雰囲気条件下で触媒毒に耐え、尚生長光線波長の遠赤外線を放射する特性は熱線熱波によって物質転換を求める（炭化等）装置に活用される外に、自然界にあっても植物の栽培環境の大幅且つ清潔さを提供することによって社会的関心の高い健康機能性を高めて生活者の理解を得る基礎に貢献する。
【００２０】  又物理的次元の生産と生活を取り巻く広範囲な分野で安全性の高い低コストの発熱体を提供出来る効果の大きさは言葉で表現する事が難しい程の大きな社会貢献となる。
【発明を実施する為の最良の形態】
【００２１】  本発明によってもたらされる利用分野と経済性は多岐にわたり大きく各分野の関係者の好意的協力を得て日本の産業として利用分野の開拓体制の創成が欠かせない。
特にも本願の発熱スタイルが従来の導電抵抗のみによるものと反対的に、空孔の実現によって跳躍的電子運動となるについてその技術思想の完成には使用資剤の組み合せと品質確保、量産手段の確立に知恵と時間が必要となる。主体剤の外に炭素剤の品質、物理性の確保、イオン化促進剤の形態等改善の余地、必要性は山程あり共同研究体制が急がれる。
【００２２】  特にも本願構造体が複数の主体導電物質に加える、高品質炭素剤や超微粒ホウ酸との混合基剤を、特殊調製した高濃度のホウ酸複合化合物溶液等で混練した形成体が窒素ガス雰囲気の中で累進高温焼成される還元融合過程で織り成すドラマによる新しい導電物質化が期待され、空孔のまわりの絶縁的壁機能による抵抗発熱、空孔における電子の跳躍によるエネルギー増幅、対壁に衝突する発熱等々発明者の期待する事象は、本願段階では仮説に止まるが、高度の学術研究に価する可能性と信ずる。
【実施例】
【００２３】  主体素剤の酸化インジュームや酸化錫の組合せ、或いは代替する酸化亜鉛や酸化アルミニウム又は水酸化アルミニウムの組合せ、更には他の電子の数、大きさ等双対性を維持した組合せの主体剤については先行技術に教導される。以下の記述には当初の主体剤のみのものとする。【００２４】  （Ａ）  前項の上に積み重ねる本発明技術で使用する資剤について説明する。
▲１▼  ホウ酸は背景技術にある通り非常に多彩な力をもち多面的分野で活用され、他の物質と融合反応し、複数物質間の融合反応に関与し促す特性があり、その作用に期待が高い。
▲２▼  炭素剤については植物体には珍しい金属イオンを多く含む高分子的特性をもつパーム椰子殻の炭化剤を、更に高度な賦活処理を経て超微細化し、炭素と金属イオンが主体剤との融合過程で有為に作用することに期待を高めている。その根拠としてパーム椰子殻の焼成（８００℃）灰パームアッシュの組成はＰ２Ｏ５−３．１９％、Ｋ２Ｏ−３２．３０％、ＭｇＯ−３．７４％、ＳｉＯ２−２１．３８％、ｐＨ（１：１０．１８℃）−１０．８で高分子的化合物並みである。
▲３▼  イオン化促進資剤として複種の溶解液がある。
ａ  長崎県に産出する特殊腐植物抽出稀釈水でパームアッシュ灰を抽出した溶解液−マリネックス５０倍液にパームアッシュ４０％を混合して上澄み液８０％を得て、その溶解液（４０℃）に４０％のホウ酸を加えると激しく反応してＭｇＣＯ３＋２ＨＢＯ３→Ｍｇ（ＢＯ３）＋Ｈ２ＣＯ３→Ｈ２ＯＣＯ３の如く炭酸ガスを放出して元溶解液の６０％の高濃度ホウ酸化合物溶液を得た。ホウ酸を混合し反応させるに銅繊維を用いるとイオン化を促進して溶解反応が促進される。
ｂ  福島県に産出する海洋性生物化石−ミネラルはねっこの組成は、コロイド珪酸−４０〜４５％、腐植質フミン酸−２１，７％、ＣａＯ−１８〜２３％  Ｆｌ２Ｏ３−４〜５％  ＭｇＯ−２％  ＭｎＯ−０，１８％ホウ酸１００ＰＰＭその他ミネラル２２％  銅、亜鉛微量を含み、土中ではマイナスイオンとして行動する。
実施は前項マリネックス５０倍液でパームアッシュ４０％を溶出した上澄み溶解液８０％を得て４０℃に暖めミネラルはねっこを３００℃まで加熱酸化して熱いまま混合して激しい反応を終わらせて濃厚な海洋性生物化石複合化合物の上澄み液（５０％）を得た。溶解液とミネラルはねっこを混合し反応させるに銅繊維を用いるとイオン化を促進して溶解反応が促進される。【００２５】  ａ，ｂの異なる溶液で混練した成果構造体は発熱と共に発する光波に差があり、それに期待する。【００２６】  （Ｂ）  発熱体の配合処理
イ  Ａ，主体基材の酸化インジューム超微粉３と酸化錫の超微粉１の混合剤に硫酸を１０％加えて２４時間養生し、イオン化結晶化傾向を強めて安定させたものに、前項調製した炭素剤を１０％、並びに超微細なホウ酸５％を加えた混合基剤を、高濃度ホウ酸複合化合物溶液で４０％で混練し５０℃の恒温室で４８時間養生した後成型体としたものを電気炉で窒素ガス置換して累進高温（１２００℃）焼成する。【００２７】ロ  前項に準じ主体剤との混合物に硫酸１０％加えた２４時間養生し、イオン化傾向を強めて安定させたものに、前記特殊調製した炭素剤並びに微細ホウ酸を加えた混合基剤に、前出ｂの海洋性生物化石複合化合物溶液を４０％加えて混練し５０℃の恒温室で４８時間養生した後成型体としたものを、電気炉で窒素ガス置換して累進高温（１２００℃）焼成する。【００２８】  （Ｃ）  吸熱体の配合処理
酸化インジューム１に対して、酸化錫２〜３を配合した混合剤に硫酸を１０％加えて２４時間養生し、イオン化結晶化傾向を強めて安定させたものに、前述炭素剤１０％と超微細ホウ酸５％を加えて混合し、高濃度ホウ酸複合化合物溶液を４０％加えて５０℃の恒温室で４８時間養生した後、成型体としたものを、電気炉で窒素ガス置換して累進高温（１２００℃）焼成する。【００２９】  （００１９）〜（００２２）項までは単純に固形態の製品形態様に記述したが主題の薄膜状としながら窒素ガス置換焼成して目標品質に到着する手段装置の創出が求められる。ＩＴＯ膜の如きスパッタ、イオンプレート、真空蒸着、酸化加熱とは異なるからである。例えば厚さを指定するには基盤に付着せしめる濃度の設定によって液状化した原料を基盤に付着させ、窒素ガス雰囲気を維持した熱線放射型電気炉内を累進高温度移動によって、乾燥しながら固化へと進行するコース装置の選定等が必要とする如きである。
【産業上の利用可能性】
【００３０】  現今の生産、生活分野において、電熱、電気吸熱にたよらざるを得ない実態は枚挙のいとまがない。本発明が貴重な先行技術に上積みして新機構にたどり着いたことの意義と価値は、そのまま大きな社会貢献につながり、その拡がりは数値で計ることが出来ない程である。各分野から積極的協力を得て完成度を高め産業発展に資したい。【００３１】  本発明は電気使用量を低減しながら、且つ薄膜構造をもち低温帯から高温帯までの仕様を満たせるので、直接利用分野種類と省エネ効果は大きな拡がりとなる。
更に産業と云う次元から見ると、例えば現今の大きな社会負担となりつつある莫大な産業的バイオマスの再生資源化に進める一つの方法となる化学反応的改質炭化へ進む為には、窒素ガス雰囲気と過熱蒸気雰囲気の中での遠赤外線的熱線放射と云う苛酷な要件を成立させなければならない。その触媒毒に耐える低電力の高温発熱体が得られたことは、バイオマス（２億屯以上）を社会に適用するコストで燃料化すると云う図方もない産業を拓くことが可能となる。